(57)【要約】【課題】本発明は、光源ユニット、照明装置および光源カバーに関し、一部の波長帯域の放射強度を低下させつつ、明るさの低下を抑制できる光源ユニット、照明装置および光源カバーを得ることを目的とする。【解決手段】本発明に係る光源ユニットは、第１波長帯域と、該第１波長帯域と異なる波長帯域である第２波長帯域の光を発する光源と、該光源を覆う透光部と、該光源の両側に設けられた反射部と、を有する光源カバーと、を備え、該透光部は該第１波長帯域の放射強度を低下させ、該反射部は該第２波長帯域の光を反射させる。【選択図】図７
2019109996.tif 000002
【特許請求の範囲】
【請求項１】
第１波長帯域と、前記第１波長帯域と異なる波長帯域である第２波長帯域の光を発する光源と、
前記光源を覆う透光部と、前記光源の両側に設けられた反射部と、を有する光源カバーと、
を備え、
前記透光部は前記第１波長帯域の放射強度を低下させ、
前記反射部は前記第２波長帯域の光を反射させることを特徴とする光源ユニット。
【請求項２】
前記光源を支持する光源支持部をさらに備え、
前記反射部は、前記光源支持部を保持することを特徴とする請求項１に記載の光源ユニット。
【請求項３】
前記光源支持部は、前記光源が設けられた第１面と前記第１面と反対側の第２面とを有する主部を有し、
前記透光部は、前記光源に対して前記主部と反対側に設けられ、
前記反射部は、前記第１面を覆うことを特徴とする請求項２に記載の光源ユニット。
【請求項４】
前記光源支持部は、前記主部から前記光源と離れる方向に突出する突出部を有し、
前記反射部は、前記突出部と嵌合することを特徴とする請求項３に記載の光源ユニット。
【請求項５】
前記反射部は、前記第１波長帯域と前記第２波長帯域の光を反射させ、
前記第１波長帯域と前記第２波長帯域は可視光を含むことを特徴とする請求項１から４の何れか１項に記載の光源ユニット。
【請求項６】
前記光源が発する光は、ＣＩＥ１９３１−ＸＹＺ表色系であるＸＹ色度図でのｘ座標が０．４２以上０．４５以下であり、ｙ座標が０．３８以上０．４２以下であることを特徴とする請求項１から５の何れか１項に記載の光源ユニット。
【請求項７】
前記第１波長帯域は５００ｎｍ以下であることを特徴とする請求項１から６の何れか１項に記載の光源ユニット。
【請求項８】
前記第２波長帯域は５０５ｎｍ以上であることを特徴とする請求項１から７の何れか１項に記載の光源ユニット。
【請求項９】
前記光源の色温度は、２９００Ｋ以上であることを特徴とする請求項１から８の何れか１項に記載の光源ユニット。
【請求項１０】
前記反射部は、
前記第１面の端部から前記第１面に沿って前記光源に向かって延びる支持部と、
前記透光部に接続され、前記支持部の前記光源と反対側の端部から前記突出部に沿って延びる対向部と、
前記対向部の前記支持部と反対側の端部から延び、前記突出部の先端部と係合する係合部と、
を有することを特徴とする請求項４に記載の光源ユニット。
【請求項１１】
前記反射部は、前記透光部が接続される部分よりも前記係合部側で、外側に突出する反射板を有することを特徴とする請求項１０に記載の光源ユニット。
【請求項１２】
前記透光部は、前記第１面と対向するカバー主部と、前記カバー主部の端部から前記第１面側に延びるカバー側部と、を有することを特徴とする請求項３または４に記載の光源ユニット。
【請求項１３】
前記透光部は、前記カバー側部から前記光源側に延び、前記カバー側部と前記反射部とを接続するカバー接続部をさらに備え、
前記反射部は、前記カバー接続部に対して前記カバー主部と反対側に、前記カバー接続部と対向する反射板を有することを特徴とする請求項１２に記載の光源ユニット。
【請求項１４】
前記透光部は、前記カバー側部から前記光源側に延び、前記カバー側部と前記反射部とを接続するカバー接続部をさらに備え、
前記カバー接続部は、前記第２波長帯域の光を反射させることを特徴とする請求項１２に記載の光源ユニット。
【請求項１５】
前記透光部よりも外側に設けられ、前記透光部を覆う外部カバーをさらに備えることを特徴とする請求項１から９の何れか１項に記載の光源ユニット。
【請求項１６】
前記外部カバーは透明であることを特徴とする請求項１５に記載の光源ユニット。
【請求項１７】
前記光源が設けられた第１面と前記第１面と反対側の第２面とを有する主部を有する光源支持部をさらに備え、
前記透光部と前記外部カバーは、前記光源に対して前記主部と反対側に設けられ、
前記反射部は、前記第１面の端部から前記第１面に沿って前記光源に向かって延びる支持部を有し、
前記透光部は、前記支持部の前記光源側の端部から延びることを特徴とする請求項１５または１６に記載の光源ユニット。
【請求項１８】
請求項１から１７の何れか１項に記載の光源ユニットと、
前記光源ユニットが取り付けられる本体ユニットと、
を備えることを特徴とする照明装置。
【請求項１９】
複数の反射部と、
前記複数の反射部に挟まれた領域を覆う透光部と、
を備え、
前記透光部は第１波長帯域の放射強度を低下させ、
前記複数の反射部は前記第１波長帯域と異なる波長帯域である第２波長帯域の光を反射させることを特徴とする光源カバー。
【請求項２０】
前記複数の反射部は、
前記透光部に接続され、互いに対向する複数の対向部と、
前記複数の対向部の一端から前記領域に向かってそれぞれ延びる複数の支持部と、
前記複数の対向部の他端からそれぞれ内側に屈曲する複数の係合部と、
を備えることを特徴とする請求項１９に記載の光源カバー。
【発明の詳細な説明】
【技術分野】
【０００１】
本発明は、光源ユニット、照明装置および光源カバーに関する。
【背景技術】
【０００２】
特許文献１には、出射光に含まれる３００〜５００ｎｍの波長領域の光を低減できるＬＥＤ照明装置および、そのＬＥＤ照明装置の照明カバーとして用いられるＬＥＤ照明カバー用光拡散体が開示されている。このＬＥＤ照明装置およびＬＥＤ照明カバー用光拡散体は、屋外の果樹園、花木畑、菜園、食品工場等で使用される低誘虫照明装置または半導体素子工場、特に感光性材料を扱う半導体素子工場内で使用される工場照明装置として用いられる。
【先行技術文献】
【特許文献】
【０００３】
【特許文献１】特開２０１６−１０３０１７号公報
【発明の概要】
【発明が解決しようとする課題】
【０００４】
一般に、環境に対する負荷を軽減するために、白熱電灯または蛍光灯に替えて発光ダイオード（Ｌｉｇｈｔ  Ｅｍｉｔｔｉｎｇ  Ｄｉｏｄｅ：以下、「ＬＥＤ」とも称す）素子を光源素子に採用した照明装置の普及が加速している。光源素子として用いられるＬＥＤ素子として、例えば、青色ＬＥＤチップと黄色蛍光体とを組み合わせてパッケージしたものが知られている。青色ＬＥＤチップは窒化ガリウム（ＧａＮ）から形成され、黄色蛍光体はＹＡＧ（Ｙｔｔｒｉｕｍ  Ａｌｕｍｉｎｕｍ  Ｇａｒｎｅｔ）系の材料から形成される。このＬＥＤ素子では、青色ＬＥＤチップから青色光が出射される。さらに、この青色光によって励起された黄色蛍光体から黄色光が出射される。青色光と黄色光とが混合されることにより、擬似的に白色光を得ることができる。
【０００５】
一般に、照明装置は、光が当たった物体が自然な色に見えること、即ち高い演色性が期待されている。また、特許文献１に示されるように、特定の波長領域の光を低減することが要求される場合がある。ＬＥＤを光源に採用している照明装置において、所望の光色を実現する方法として、例えば、特殊な光色を有するＬＥＤ素子を用いる方法が考えられる。しかし、特殊な光色を有するＬＥＤは、流通している種類が少なく数量も少ないことが多い。このため、このようなＬＥＤ素子は高価であり、照明装置が高コスト化する可能性がある。
【０００６】
所望の光色を実現する別の方法として、マルチチップ方式のＬＥＤ素子を組み合わせる方法が考えられる。しかし、一般に、マルチチップ方式のＬＥＤ素子も高価であるため、照明装置が高コスト化する可能性がある。
【０００７】
所望の光色を実現するさらに別の方法として、青色ＬＥＤチップと黄色蛍光体とを組み合わせた擬似白色ＬＥＤと、一部の波長帯域の分光放射強度を低減させるフィルタとを組み合わせる方法が考えられる。多種多様な光色を実現する方法としては、コスト面において、上述した２つの方法と比較して、この方法が好適であるものと考えられる。
【０００８】
しかし、一部の波長帯域の分光放射強度を低減させるフィルタを用いた方法は、狭い波長帯域の分光放射強度の制御に向いていない場合がある。一般に、フィルタは分光放射強度の低減のターゲットとなる波長帯域以外の波長帯域においても、分光放射強度を低減させる。このため、分光放射強度を維持したい波長帯域の分光放射強度も下げてしまい、充分な明るさが得られない可能性があった。
【０００９】
本発明は、上述の課題を解決するためになされたもので、一部の波長帯域の放射強度を低下させつつ、明るさの低下を抑制できる光源ユニット、照明装置および光源カバーを得ることを目的とする。
【課題を解決するための手段】
【００１０】
本発明に係る光源ユニットは、第１波長帯域と、該第１波長帯域と異なる波長帯域である第２波長帯域の光を発する光源と、該光源を覆う透光部と、該光源の両側に設けられた反射部と、を有する光源カバーと、を備え、該透光部は該第１波長帯域の放射強度を低下させ、該反射部は該第２波長帯域の光を反射させる。
【００１１】
本発明に係る光源カバーは、複数の反射部と、該複数の反射部に挟まれた領域を覆う透光部と、を備え、該透光部は第１波長帯域の放射強度を低下させ、該複数の反射部は該第１波長帯域と異なる波長帯域である第２波長帯域の光を反射させる。
【発明の効果】
【００１２】
本発明に係る光源ユニットでは、透光部が第１波長帯域の放射強度を低下させ、反射部が第２波長帯域の光を反射させる。これにより、第１波長帯域の放射強度を低下させつつ、第２波長帯域の放射強度の低下を抑制できる。
本発明に係る光源カバーは、透光部が第１波長帯域の放射強度を低下させ、反射部が第２波長帯域の光を反射させる。これにより、第１波長帯域の放射強度を低下させつつ、第２波長帯域の放射強度の低下を抑制できる。
【図面の簡単な説明】
【００１３】
【図１】実施の形態１に係る照明装置の斜視図である。
【図２】実施の形態１に係る照明装置の分解斜視図である。
【図３】実施の形態１に係る光源ユニットの斜視図である。
【図４】実施の形態１に係る光源ユニットの主要部を説明する分解斜視図である。
【図５】実施の形態１に係る照明装置の断面図である。
【図６】実施の形態１に係る光源ユニットの取り付け方法を説明する図である。
【図７】実施の形態１に係る光源ユニットの主要部を説明する断面図である。
【図８】ＸＹ色度図における光源の発する光の分布を示す図である。
【図９】光源のスペクトラムを示す図である。
【図１０】照明装置から出射される光のスペクトラムを示す図である。
【図１１】照明装置から出射される光のスペクトラムを示す拡大図である。
【図１２】実施の形態２に係る照明装置の主要部を説明する断面図である。
【図１３】実施の形態３に係る光源ユニットの主要部を説明する断面図である。
【図１４】実施の形態４に係る光源ユニットの主要部を説明する断面図である。
【発明を実施するための形態】
【００１４】
本発明の実施の形態に係る光源ユニット、照明装置および光源カバーについて図面を参照して説明する。同じまたは対応する構成要素には同じ符号を付し、説明の繰り返しを省略する場合がある。
【００１５】
実施の形態１．
図１から図１１を参照して、実施の形態１の照明装置６００の概要を説明する。なお、以下の図面では各構成部材の大きさの関係が実際のものとは異なる場合がある。また、実施の形態の説明において、上、下、左、右、前、後、表（おもて）、裏（うら）といった方向、向きあるいは位置が示されている場合がある。これらの表記は、説明の便宜上、そのように記載されており、装置、器具、あるいは部品の配置、方向および向きを限定するものではない。
【００１６】
なお、以下の説明では、照明装置６００に対して、照明装置６００を取り付ける造営部９００の向きを上方、光源３１が光を照射する向きを下方、照明器具１に対して光源ユニット２を取り付けまたは取り外しする方向を着脱方向または上下方向として説明する。上下方向は矢印ｚに示される方向である。
【００１７】
また、以下の説明で、長手方向は矢印ｘで示され、短手方向は矢印ｙで示される。長手方向ｘは短手方向ｙとは、水平方向で直交する。
【００１８】
図１は、実施の形態１に係る照明装置６００の斜視図である。照明装置６００は、照明器具１と光源ユニット２とを有する。照明装置６００の長手方向ｘは光源ユニット２の長手方向ｘと平行である。照明装置６００の短手方向ｙは光源ユニット２の短手方向ｙと平行である。
【００１９】
照明装置６００は、天井あるいは壁といった造営部９００に取り付けられる。照明装置６００は長手方向ｘに延びた長尺状である。照明装置６００は、光源一体型ベース照明、ＬＥＤベースライトなどとも称される。図１に示した照明装置６００は、天井直付形の所謂逆富士タイプである。照明装置６００は、トラフタイプ、笠付タイプ、下面開放タイプ、埋込タイプ、壁取付タイプでもよい。また、照明装置６００は、複数台の照明装置を連結した連結タイプであってもよい。
【００２０】
図２は、実施の形態１に係る照明装置６００の分解斜視図である。光源ユニット２は、照明器具１に着脱可能に取り付けられる。照明器具１は、本体ユニット１０を有する。本体ユニット１０は器具本体とも称する。本体ユニット１０は、外観主部１０１と光源ユニット取付部１０２とを有する。本体ユニット１０は、例えば、板金が折り曲げられて形成される。
【００２１】
光源ユニット取付部１０２は、底面部１０３と周面部１０４とを有する。底面部１０３は、長手方向ｘに沿って延びる矩形状の底板部である。周面部１０４は、短手方向ｙにおける底面部１０３の両端部から立ち上がっている側壁部である。光源ユニット取付部１０２は、光源ユニット２を収容する収納部となり、収容部とも称する。光源ユニット取付部１０２には、光源ユニット２が着脱可能に取り付けられる。
【００２２】
底面部１０３には、２つの本体側連結具１１と、外部電源に電気的に接続された本体側電源線材１２が設置される。
【００２３】
本体ユニット１０の長手方向ｘの両端部には、本体端部１０５が設けられる。本体端部１０５は、長手方向ｘにおける外観主部１０１および光源ユニット取付部１０２の端部と対向した状態で、本体ユニット１０に設けられる。本体端部１０５は、長手方向ｘにおける光源ユニット取付部１０２の両端部を塞ぐ端壁部である。
【００２４】
本体側連結具１１は、光源ユニット２を取り付けるための取付バネである。本実施の形態では、本体側連結具１１として板バネを用いている。本体側連結具１１には、線バネ、スプリングバネなどが用いられてもよい。本実施の形態では、２つの本体側連結具１１は、長手方向ｘにおける底面部１０３の両端側にそれぞれ１つずつ取り付けられている。本体側連結具１１は、後述する光源ユニット２が備える光源側連結具４６と係り合う板バネである。このため、本体側連結具１１は、光源側連結具４６に対応する位置に配置される。本体側連結具１１の数は２つに限らず、光源側連結具４６に対応する数であればよい。本体側連結具１１は、ネジなどの図示しない固定具を用いて底面部１０３に固定される。
【００２５】
本体側電源線材１２は、本体ユニット１０に配線され、外部電源に電気的に接続されている。本体側電源線材１２は本体側コネクタ１３を有する。本体側コネクタ１３は、後述する光源側電源線材４２と電気的に接続される。
【００２６】
図３は、実施の形態１に係る光源ユニット２の斜視図である。光源ユニット２は、外郭部２０と後述する発光部３０とを有する。光源ユニット２は、照明具、光源装置、ライトユニットなどとも称する。
【００２７】
光源ユニット２は外郭部２０を有する。外郭部２０は、後述する発光部３０を覆う。外郭部２０は、光源カバー２１と端部カバー２４と光源支持部２５とを有する。光源カバー２１は、外郭部２０における第１外郭部である。光源カバー２１は、発光部３０を覆うように光源支持部２５に取り付けられる。端部カバー２４は、外郭部２０における第２外郭部である。端部カバー２４は、長手方向ｘにおける光源カバー２１の端部と対向した状態で光源カバー２１に取り付けられる。光源支持部２５は、外郭部２０の第３外郭部である。
【００２８】
端部カバー２４は、底部２４０と周部２４１とを有する。端部カバー２４は、長手方向ｘにおける光源カバー２１の端部を覆う。端部カバー２４の周部２４１は光源カバー２１の内部に嵌め込まれる。端部カバー２４は、例えば、接着、溶着といった方法を用いて光源カバー２１に取り付けられる。端部カバー２４は、光源支持部２５に取り付けられた発光部３０の長手方向ｘにおける端部側を覆う。端部カバー２４が光源カバー２１に取り付けられた状態で、底部２４０は、長手方向ｘにおける外郭部２０の端面部となる。
【００２９】
端部カバー２４は後述する透光部２２と同様に、全体が透光性を有する波長弁別部である。本実施の形態では、端部カバー２４は透光性の樹脂材料である基材に波長弁別機能を有する光色調整材が添加された混合材料によって形成される。なお、端部カバー２４のうち周部２４１の上方側は、後述する反射部２３と同様に、遮光性を有する高反射部から形成されてもよい。
【００３０】
光源支持部２５は、取付部となる板状の主部２６を有する。主部２６は、第１面と第１面と反対側の面である第２面２６１とを有する。第１面は、発光部３０の基板が取り付けられる基板取付部である。第１面は、主部２６の一方の面であり、照射側である下方の面である。
【００３１】
第２面２６１は、電源ユニット４０が取り付けられる電源取付部である。第２面２６１は、光源側電源線材４２、給電線材４４、光源側連結具４６、電線保持具４８および電線留め具４９などが取り付けられる付属装置取付部である。第２面２６１は、主部２６の他方の面であり、器具側である上方の面である。
【００３２】
電源ユニット４０は、主部２６の長手方向ｘにおける中央より一端部２６３の側に寄せて取り付けられている。電源ユニット４０は、図示しないネジなどの固定具を用いて、第２面２６１に取り付けられている。なお、電源ユニット４０は、主部２６の長手方向ｘにおける中央に取り付けられていても構わない。電源ユニット４０は電源装置、点灯装置などとも称する。
【００３３】
電源ユニット４０は、ベースカバーである第１筐体４０４とトップカバーである第２筐体４１０とを有する。図示は省略するが、電源ユニット４０は、第１筐体４０４に取り付けられている電源基板と、電源基板に実装されている電源回路部品と、給電コネクタと、電源コネクタとを有する。図示は省略するが、第１筐体４０４は、例えば、特殊ネジなどの固定具を用いて、第２面２６１に取り付けられている。第２筐体４１０は、電源回路部品を覆った状態で第１筐体４０４に取り付けられている。電源基板、電源回路部品、給電コネクタおよび電源コネクタは、電位固定部を除いて、第１筐体４０４と第２筐体４１０とのいずれとも電気的に絶縁されている。
【００３４】
光源ユニット２は、光源側電源線材４２、光源側コネクタ４３、給電線材４４、電線保持具４８および電線留め具４９を有する。光源側電源線材４２の端部には、光源側コネクタ４３が配置されている。光源側コネクタ４３と本体側コネクタ１３とが電気的に接続されることによって、外部電源から電源ユニット４０に対して外部電力が供給される。外部電力は、例えば、商用交流電力である。
【００３５】
給電線材４４は、光源ユニット２の長手方向ｘにおける一端の側で、電線保持具４８によって保持される。給電線材４４は、電線保持具４８の内部でＵ字状に折り返され、光源支持部２５の第１面に取り付けられた基板の実装面に電気的に接続される。基板の実装面において、給電線材４４の図示しない給電コネクタと発光部３０の基板コネクタとが接続される。このようにして、基板に点灯電力を供給することが可能となる。ここで、電線保持具４８は、電線保持部材、電線保持装置、配線保持装置あるいはハーネスクランプなどとも称される。
【００３６】
図示は省略するが、電線保持具４８は、ベース部、取付フック、クランプ部、ヒンジ部、電線挿通溝、第１係合部、第２係合部および張出部などの構成を有する。ベース部は矩形状の板である。取付フックは、電線保持具４８を光源支持部２５の電線保持具装着孔２６６に係着させるための爪である。クランプ部は、給電線材４４を電線挿通溝に保持する保持部である。ヒンジ部は、ベース部とクランプ部とを繋ぐとともに、ベース部にクランプ部を回転可能に取り付けた可動連結部である。電線挿通溝は、給電線材４４を挟みこんで固定するための凹形状の溝である。第１係合部は、クランプ部の一端に形成されたクランプ部側係合部であり、第２係合部は、ベース部側に形成されたベース部側係合部である。張出部は、クランプ部の下端から光源ユニット２の長手方向ｘにおける一端の側に突出した部分であり、端部カバー２４の周部２４１と重なるオーバーラップ部となる。
【００３７】
光源側連結具４６は、光源側取付装置、光源側取付具、バネ受け金具などとも称される。本実施の形態では、光源ユニット２は２つの光源側連結具４６を有しており、２つの光源側連結具４６は、長手方向ｘにおける光源支持部２５の主部２６の両端にそれぞれ１つずつ取り付けられている。光源側連結具４６は、照明器具１が備える本体側連結具１１と係り合い、光源ユニット２を照明器具１に固定する。このため、光源側連結具４６は、本体側連結具１１に対応する位置に配置される。光源側連結具４６の数は２つに限らず、本体側連結具１１に対応する数であればよい。光源側連結具４６は、ネジ５１などの固定具を用いて光源支持部２５の主部２６に固定される。
【００３８】
図４は、実施の形態１に係る光源ユニット２の主要部を説明する分解斜視図である。光源支持部２５は、主部２６と突出部２７とを有する。光源支持部２５は、長手方向ｘに沿って延設している。本実施の形態では、短手方向ｙにおける光源支持部２５の断面はＵ字方またはコ字形状をなしている。光源支持部２５は、発光部３０が取り付けられる取付部であり、台座である。また、光源支持部２５は、発光部３０の光源３１の動作熱を放散させるヒートシンクである。
【００３９】
光源支持部２５において、短手方向ｙにおける主部２６の両側には一対の突出部２７が形成されている。突出部２７は側部とも称する。突出部２７は、光源ユニット２が照明器具１に取り付けられた状態で、光源ユニット取付部１０２の底面部１０３に向かって立ち上がるように形成されている。突出部２７の先端部２７６は、光源カバー２１の係合部２３１と係り合う。
【００４０】
光源支持部２５の一端部２６３は、電線保持具装着部２６４と電線挿通切欠き部２６５と電線保持具装着孔２６６とを有する。電線保持具装着部２６４は、電線保持具４８が配置される部分である。電線挿通切欠き部２６５は、電線保持具４８が取り付けられるとともに、電線保持具４８に保持された給電線材４４が挿通される。電線保持具装着孔２６６は、電線保持具４８の取付フックが係着される貫通孔である。光源支持部２５の他端部２６７は、張出部２６８を有する。張出部２６８は、長手方向ｘに沿って突出しており、端部カバー２４の周部２４１と重なるオーバーラップ部となる。
【００４１】
発光部３０は、光源３１と基板３４とを有する。本実施の形態では、光源３１としてＬＥＤが用いられる。光源３１は、例えば基板３４の実装面に面実装される。光源３１は、基板３４の実装面に一定の間隔で一列に配置される。実装面は、基板３４のうち主部２６と反対側の面である。光源３１と、基板３４に設けられた配線パタンとが電気的に接続されて、光源回路が形成される。光源３１と配線パタンとは、例えば半田付けなどによって接続される。基板３４に点灯電力が供給されると、光源３１が点灯する。
【００４２】
基板３４は、矩形状に形成されており、長手方向ｘに沿って光源支持部２５の第１面２６０に配置されている。基板３４は、光源支持部２５の形状に対応して形成されている。また、基板３４は、光源カバー２１の反射部２３と当接しないように配置されている。
【００４３】
図５は、実施の形態１に係る照明装置６００の断面図である。図５は図１をＡ−Ａ直線で切断することで得られる断面図である。図５に示されるように、光源ユニット取付部１０２には、光源ユニット２のうち電源ユニット４０が収容される。基板３４は、実装面３４０と非実装面３４１とを有する。実装面３４０は、光源３１が実装される面であり、発光部３０のおもて面である。
【００４４】
実装面３４０は、反射率が高い高反射タイプのレジストが敷設された高反射面である。高反射タイプのレジストは、例えば白色である。実装面３４０には、高反射タイプのレジストに限らず、他の反射部材が、塗布、印刷、蒸着などの方法によって直接設けられてもよい。また、実装面３４０には、基板３４とは別部材である反射部材が貼合されてもよい。
【００４５】
非実装面３４１は、主部２６の第１面２６０と当接し、接着される接着面である。基板３４は、接着部材によって光源支持部２５に貼合される。接着部材は、例えば接着剤、粘着シート等である。非実装面３４１は、発光部３０のうら面である。非実装面３４１は、第１面２６０と当接した状態で、光源３１の動作熱を光源支持部２５へ伝達する熱伝達面である。
【００４６】
基板３４の基材には、ガラスエポキシ材料、紙フェノール材料、コンポジット材料あるいはアルミニウム（Ａｌ）などの金属材料が使用される。基板３４の基材は、例えば、部品の配置、放熱性および材料コストなどを考慮して決定される。本実施の形態では、基板３４の厚さは、例えば１ｍｍ程度である。基板３４の厚さはこれに限定されない。
【００４７】
図示は省略するが、基板３４の実装面３４０には、点灯電力の入力端である基板コネクタと、光源３１を点灯させるための回路部品とが実装される。回路部品は、例えば、整流ダイオード、ヒューズおよび抵抗などを含む。すなわち、本実施の形態の発光部３０には、光源３１、回路部品、基板コネクタおよび基板３４が含まれる。回路部品および基板コネクタは、配線パタンと電気的に接続されて給電回路を形成する。回路部品および基板コネクタは、例えば半田付けなどによって配線パタンと接続される。基板３４は、給電線材４４を介して電源ユニット４０と電気的に接続される。
【００４８】
図６は、実施の形態１に係る光源ユニット２の取り付け方法を説明する図である。図６を用いて、照明装置６００の施工方法を説明する。まず、造営部９００である天井に照明器具１を取り付ける。照明器具１を天井に取り付ける方法には、天井からつり下げられている吊ボルトに照明器具１を固定する方法およびネジなどの固定具により直接天井に照明器具１を固定する方法などがある。
【００４９】
照明器具１を造営部９００に取り付ける際、天井から引き出された外部電源線材であるＦケーブルを、照明器具１の光源ユニット取付部１０２の内部に引き込み、図示しない端子台と接続する。このようにして、本体側電源線材１２と本体側コネクタ１３はＦケーブルと電気的に接続される。
【００５０】
次に、板バネである本体側連結具１１を光源ユニット２の光源側連結具４６と係合させる。このとき、光源ユニット２と照明器具１との間に作業空間が存在する状態で、本体側電源線材１２と光源側電源線材４２とを電気的に接続するなどの作業が行われる。その後、光源ユニット２を照明器具１に向かって上方に押し上げると、光源ユニット２は板バネである本体側連結具１１の弾性力によって引き上げられる。この結果、光源ユニット２が照明器具１に取り付けられる。
【００５１】
図７は、実施の形態１に係る光源ユニット２の主要部を説明する断面図である。図７を用いて、光源カバー２１および光源支持部２５の構造について詳しく説明する。光源カバー２１は、光源３１を覆う透光部２２と、光源３１の両側にそれぞれ設けられた複数の反射部２３とを有する。複数の反射部２３は互いに対向し、互いに向かって突出するように設けられる。透光部２２は、複数の反射部２３に挟まれた領域を覆う。透光部２２と光源３１との間には、空間５４が形成される。
【００５２】
光源支持部２５は光源３１が設けられた第１面２６０と第１面２６０と反対側の第２面２６１とを有する主部２６を有する。透光部２２は、光源３１に対して主部２６と反対側に設けられる。また、各々の反射部２３は、第１面２６０を覆う。突出部２７は、主部２６の端部２７５から光源３１と離れる方向に突出する。反射部２３は、突出部２７と嵌合する。突出部２７の先端部２７６は、光源支持部２５の内側に向かって湾曲している。
【００５３】
透光部２２は、カバー主部２２０と複数のカバー側部２２１と複数のカバー接続部２２２とを有する。カバー主部２２０は全面が透光性である。カバー主部２２０は、光源カバー２１の前面に位置し、発光部３０に対向する。カバー主部２２０は第１面２６０と対向する。カバー主部２２０は、下方に向かって凸状に膨らんでいる。つまり、カバー主部２２０は光源３１と離れる方向に突出している。カバー主部２２０は、長手方向ｘに沿って延設されている。
【００５４】
複数のカバー側部２２１は側面透光部であり、光源カバー２１の側面に位置している。複数のカバー側部２２１は、短手方向ｙにおけるカバー主部２２０の両端から上方に向ってそれぞれ立ち上がる。複数のカバー側部２２１は互いに対向している。各々のカバー側部２２１はカバー主部２２０の端部から第１面２６０側に延びる。カバー側部２２１は、短手方向ｙの内側に向って凹状に括れている。カバー側部２２１は、透光部２２によって囲まれた空間の内側に向かって突出している。カバー側部２２１は、長手方向ｘに沿って延設されている。
【００５５】
複数のカバー接続部２２２は背面透光部であり、光源カバー２１の背面に位置している。各々のカバー接続部２２２は、カバー側部２２１の上端から短手方向ｙの内側に向って屈曲する。つまり、カバー接続部２２２は、カバー側部２２１から光源３１側に延びる。カバー接続部２２２は、長手方向ｘに沿って延設されている。カバー接続部２２２は、カバー主部２２０と対向している。カバー接続部２２２の内側の先端部は反射部２３と接続されている。カバー接続部２２２は、カバー側部２２１と反射部２３とを接続する。
【００５６】
透光部２２は全体が透光性を有する波長弁別部である。透光部２２は、例えば、透光性の樹脂材料である基材に、波長弁別機能を有する光色調整材が添加された混合材料によって形成される。光色調整材は例えば、有機顔料等である。透光部２２は第１波長帯域λ１の放射強度を低下させる。つまり、透光部２２は、第１波長帯域λ１の透過量を低下させる。放射強度は分光放射強度とも呼ばれる。透光部２２の波長弁別機能の調整は、透光部２２の厚さの変更、透光部２２の光色調整材の体積含有率の変更などにより行っても良い。
【００５７】
反射部２３は、透光部２２から透光部２２の内側に突出するように設けられる。反射部２３は、光源カバー２１を光源支持部２５に保持する保持部である。反射部２３は、光源３１を支持する光源支持部２５を保持する。光源カバー２１は、反射部２３が光源支持部２５の突出部２７と嵌め合わされることによって光源支持部２５に取り付けられる。
【００５８】
各々の反射部２３は、対向部２３０と係合部２３１と支持部２３２と反射板２３３とを有する。光源カバー２１は、互いに対向する複数の対向部２３０を備える。各々の対向部２３０は、透光部２２に接続されている。対向部２３０は、カバー接続部２２２の先端部と接続されている。対向部２３０は、カバー接続部２２２の先端部から上方と下方とにそれぞれ分岐するように形成されている。対向部２３０は、長手方向ｘに沿って延設されており、突出部２７と対向している。
【００５９】
光源カバー２１は、複数の対向部２３０の一端からそれぞれ内側に屈曲する複数の係合部２３１を備える。各々の係合部２３１は、対向部２３０の支持部２３２と反対側の端部から延び、突出部２７の先端部２７６と係合する。係合部２３１は、対向部２３０の上端に鉤状に形成されている。係合部２３１は、長手方向ｘに沿って延設されている。係合部２３１は、光源カバー２１の内側に向かって屈曲する。
【００６０】
光源カバー２１は複数の支持部２３２を備える。複数の支持部２３２は、複数の対向部２３０の他端から複数の反射部２３に挟まれた領域に向かってそれぞれ延びる。各々の支持部２３２は、第１面２６０の端部から第１面２６０に沿って光源３１に向かって延びる。支持部２３２は、基板３４に隣接する位置まで延びる。支持部２３２は、対向部２３０の下端から短手方向ｙの内側に向って屈曲して形成される。支持部２３２は、長手方向ｘに沿って延設されている。支持部２３２は、主部２６と当接している。支持部２３２は、主部２６の側縁部２６２側における第１面２６０を覆った状態で光源支持部２５を支持している。側縁部２６２は、主部２６のうち基板３４の両側の部分である。支持部２３２の光源３１と反対側の端部からは、対向部２３０が突出部２７に沿って延びる。
【００６１】
光源カバー２１は複数の反射板２３３を備える。各々の反射板２３３は、透光部２２が接続される部分よりも係合部２３１側で、光源カバー２１の外側に突出する。反射板２３３は、カバー接続部２２２に対してカバー主部２２０と反対側で、カバー接続部２２２と対向する。反射板２３３は、短手方向ｙにおける対向部２３０の外側に形成されている。反射板２３３は、対向部２３０から斜め上方に向って突出する。つまり、反射板２３３は、対向部２３０から突出し、係合部２３１側に傾いている。
【００６２】
反射部２３は全体が遮光性を有する高反射部である。反射部２３は、少なくとも可視光を反射する。反射部２３は光源３１から照射される光および光源カバー２１から反射される光を反射する。反射部２３は、例えば、樹脂材料である基材に遮光性と高反射性を有する反射材が添加された混合材料によって形成されている。本実施の形態では、反射部２３は全体が白色である。これに限らず、反射部２３の表面は鏡面状であっても良い。
【００６３】
以上から、光源カバー２１は、光源支持部２５に取り付けられた状態において、光源支持部２５に取り付けられた発光部３０を覆う。また、反射部２３は、光源支持部２５の少なくとも一部を覆う。また、光源カバー２１の係合部２３１は、突出部２７の先端部２７６を覆う。光源カバー２１の支持部２３２は、主部２６の側縁部２６２側における第１面２６０を覆う。
【００６４】
光源カバー２１は、透光性を有する波長弁別部として形成された透光部２２と遮光性を有する高反射部として形成された反射部２３とが一体に形成されている。光源カバー２１は、例えば押出成形の一例である２色成形の方法を用いて製造される。
【００６５】
次に、光源３１の特性について説明する。図８は、ＸＹ色度図における光源３１の発する光の分布を示す図である。図８に示されるＸＹ色度図は、ＣＩＥ（Ｉｎｔｅｒｎａｔｉｏｎａｌ  Ｃｏｍｉｓｓｉｏｎ  ｏｎ  Ｉｌｌｕｍｉｎａｔｉｏｎ：国際照明委員会）１９３１−ＸＹＺ表色系であるＸＹ色度図である。ＣＩＥ１９３１−ＸＹＺ表色系であるＸＹ色度図は、ＣＩＥで標準表色系として表された色度図である。
【００６６】
光源３１が発する光は、例えば、ＣＩＥ１９３１−ＸＹＺ表色系であるＸＹ色度図でのｘ座標が０．４２以上０．４５以下であり、ｙ座標が０．３８以上０．４２以下である。このとき、光源３１が発する光は、一般的な擬似白色ＬＥＤの色度の範囲である。光源３１は少なくとも第１波長帯域λ１と、第１波長帯域λ１と異なる波長帯域である第２波長帯域λ２の光を発する。ここで、第１波長帯域λ１は５００ｎｍ以下であり、第２波長帯域λ２は５０５ｎｍ以上である。第１波長帯域λ１と第２波長帯域λ２は可視光を含む。また、光源３１の色温度は、例えば、２９００Ｋ以上である。
【００６７】
図９は、光源３１のスペクトラムを示す図である。ここで、図９の相対強度は、光源３１から発せられた光の最大量を１としたときの相対値を表している。光源３１は、例えば、窒化ガリウムを用いた青色ＬＥＤチップとＹＡＧ系の黄色蛍光体とを組み合わせてパッケージすることによって得られる。図９に示されるように、青色ＬＥＤチップは、例えば４４０ｎｍ〜４６０ｎｍの波長域に主たる発光ピークを有するものが好適である。このような擬似白色ＬＥＤでは、青色ＬＥＤチップから青色光が出射される。また、青色光によって励起された黄色蛍光体から黄色光が出射される。青色光と黄色光とが混合されることにより、図９に示すようなスペクトラムを示す擬似的な白色光を得ることができる。
【００６８】
光源３１の構成は、上記した構成に限定されない。例えば、ＣＯＢ（Ｃｈｉｐ  ｏｎ  Ｂｏａｒｄ：チップオンボード）など、ＬＥＤチップを基板３４に直接実装したものを発光部３０として用いてもよい。光源３１の個数、配置および種類は、光源ユニット２に要求される仕様に合わせて決定される。また、光源３１は、ＬＥＤに限定されず、有機エレクトロルミネッセンス素子（有機ＥＬ：Ｏｒｇａｎｉｃ  Ｅｌｅｃｔｒｏ−Ｌｕｍｉｎｅｓｃｅｎｃｅ）、レーザ素子（Ｌｉｇｈｔ  Ａｍｐｌｉｆｉｃａｔｉｏｎ  ｂｙ  Ｓｔｉｍｕｌａｔｅｄ  Ｅｍｉｓｓｉｏｎ  ｏｆ  Ｒａｄｉａｔｉｏｎ）などの、他の固定発光素子を用いてもよい。
【００６９】
次に、照明装置６００の作用効果を説明する。図１０は、照明装置６００から出射される光のスペクトラムを示す図である。図１０の相対強度は、照明装置６００から発せられた光の最大量を１としたときの相対値を表している。本実施の形態では、透光部２２は第１波長帯域λ１の放射強度を低下させる。このため、第１波長帯域λ１における放射強度を低下させることができる。具体的には、第１波長帯域λ１の全帯域において、相対強度を０．００３以下に抑制できる。
【００７０】
図１１は、照明装置６００から出射される光のスペクトラムを示す拡大図である。図１１は、図１０の拡大図である。反射部２３は光源３１が発する光を反射させる。反射部２３が、入射した光を透光部２２側に反射させることで、光の利用効率を向上できる。
【００７１】
ここで、透光部２２は基材に光色調整材が添加された混合材料によって形成される。一般に、光色調整材によって第１波長帯域λ１の光をカットする場合、第１波長帯域λ１とは異なる第２波長帯域λ２の光も一部カットされることがある。このため、放射強度を維持したい第２波長帯域λ２の放射強度が低下し、照明装置が暗くなる場合があった。これに対し、本実施の形態では、反射部２３が第２波長帯域λ２の光を反射させることで、光の利用効率を向上できる。このため、第１波長帯域λ１の放射強度を低下させつつ、明るさの低下を抑制できる。
【００７２】
本実施の形態では、第２波長帯域λ２≧５０５ｎｍにおける放射強度の低下を抑制する効果を得ることができる。具体的には、特に下記の波長での相対強度の低下を抑制できる。
５１０ｎｍ：０．００３以上
５２０ｎｍ：０．０１０以上
５３０ｎｍ：０．０５０以上
５４０ｎｍ：０．１００以上
５５０ｎｍ：０．３００以上
５６０ｎｍ：０．５００以上
【００７３】
一般に、人間の視覚特性上、明所では５５５ｎｍ付近の波長の光が、暗所では５０７ｎｍ付近の波長の光が、最も強く感じる最大感度の波長と言われている。特に、照明装置６００の使用状態では、５５５ｎｍ付近の波長の光量または光束が、使用者が感じる明るさに大きく影響し易い。本実施の形態では、第１波長帯域λ１の全帯域において、相対強度を０．００３以下に抑制しつつ、５５５ｎｍ付近の波長の相対強度を０．３００〜０．５００に維持できる。このため、第１波長帯域λ１の放射強度を低下させつつ、使用者が明るく感じる照明装置６００を得ることができる。
【００７４】
また、透光部２２は、前面透光部であるカバー主部２２０と側面透光部であるカバー側部２２１とカバー接続部２２２とを有する。カバー主部２２０とカバー側部２２１とカバー接続部２２２は波長弁別機能を有する。下方を向くカバー主部２２０の両側にカバー側部２２１が設けられることで、照明装置６００の下方照度がおよそ８０％、側方及び斜め上方の照度がおよそ２０％となり、バランスのよい配光分布を得ることができる。照明装置６００の下方照度は８０％以上、側方および斜め上方の照度は２０％以下であっても良い。
【００７５】
また、透光部２２と、高反射材が添加された反射部２３とは、多色成形または２色成形によって一体の光源カバー２１として形成される。このため、透光部２２と反射部２３とを別々に組み立てる必要が無く、光源ユニット２の組立性を向上できる。
【００７６】
また、本実施の形態の構成であれば、同じ金型を用いた設備によって、多様な波長弁別特性と高反射特性との組合せを容易に実現できる。従って、用途に応じて、さまざまな光学特性の光源ユニット２を容易に提供できる。
【００７７】
また、本実施の形態の光源３１には、選別工程などによって提供された特殊で高価なＬＥＤではなく、一般に流通しているＬＥＤを用いる。このため、部品コストおよび製品コストを抑制できる。特に、光源３１が発する光は、ＣＩＥ１９３１−ＸＹＺ表色系であるＸＹ色度図でのｘ座標が０．４２以上０．４５以下であり、ｙ座標が０．３８以上０．４２以下である。これは、一般的なＬＥＤの色度の範囲である。これにより、部品コストを抑制できる。ここで、発光部３０全体から出射される光が、上記の色度の範囲であっても良い。
【００７８】
さらに、ＣＩＥ１９３１−ＸＹＺ表色系であるＸＹ色度図でのｘ座標が０．４２以上０．４５以下かつｙ座標が０．３８以上０．４２以下の色度範囲は、擬似白色光の中でも上記の色度範囲外の光と比較して、色温度が低い傾向がある。つまり、この色度範囲外の光と比較して、光源３１が発する光は第１波長帯域λ１の放射強度が低く、第２波長帯域λ２の放射強度が高い傾向にある。従って、この色度範囲の光源３１を用いることで、第１波長帯域λ１の放射強度を低下させても、照明装置６００の全光束の向上が可能となる。
【００７９】
また、光源３１の色温度は、好ましくは、２９００Ｋ〜３２００Ｋの範囲であると良い。これは、一般的なＬＥＤの色温度の範囲である。つまり、ＸＹ色度図におけるｘ座標が０．４２以上０．４５以下かつｙ座標が０．３８以上０．４２以下であり、色温度が２９００Ｋ以上である場合に、光源３１の部品コストをさらに抑制できる。
【００８０】
また、反射板２３３は、カバー接続部２２２から造営部９００側に照射される光を、本体ユニット１０の外側に向けて反射させる。つまり、反射板２３３は、透光部２２から光源ユニット取付部１０２の内部に照射される光を本体ユニット１０の外側に向けて反射させる。これにより、さらに光の利用効率を向上できる。また、反射板２３３は、カバー接続部２２２と本体ユニット１０との隙間から視認可能な位置に設けられている。反射板２３３は、光源ユニット２と本体ユニット１０の隙間から光を反射する。このため、光源ユニット２と本体ユニット１０との隙間が暗く見えることを抑制できる。従って、照明装置６００の意匠性を向上できる。
【００８１】
また、基板３４の実装面３４０には、高反射タイプのレジストが敷設される。これにより、光の利用効率をさらに向上できる。さらに、支持部２３２は、基板３４に隣接する位置まで延びる。これにより、主部２６の第１面２６０の大半は、実装面３４０と支持部２３２とで覆われる。従って、光の利用効率をさらに向上できる。
【００８２】
また、本実施の形態では反射部２３は、光源支持部２５を保持する保持部を兼ねている。保持部を反射部２３として利用することで、部品を追加せずに、効率よく光の反射機能を追加できる。
【００８３】
以上から、本実施の形態では、高水準の波長弁別性能と高い光の利用効率とを兼ね備えた光源カバー２１、光源ユニット２および照明装置６００を安価に提供できる。
【００８４】
本実施の形態では、反射部２３は少なくとも可視光を反射するものとした。つまり、反射部２３は可視光を全波長帯域において高効率に反射する。このため、反射部２３は波長弁別機能を有していない。この変形例として、反射部２３は、第１波長帯域λ１と第２波長帯域λ２の光を反射させても良い。また、反射部２３は光源３１の波長帯域の光を反射させるものとしても良い。
【００８５】
また、反射部２３は、少なくとも第２波長帯域λ２の光を反射させれば良い。この場合、反射部２３は、第２波長帯域λ２の光を選択的に反射し、第１波長帯域λ１の光を選択的に吸収する波長選択吸収機能または波長選択反射機能を有しても良い。これにより、不要な第１波長帯域λ１の光の反射を抑制できる。このため、透光部２２および端部カバー２４に添加される光色調整剤の使用量を削減できる。従って、材料コストを抑制できる。これに限らず、基板３４が波長選択吸収機能を有しても良い。また、反射部２３は、第１波長帯域λ１の光と比較して、第２波長帯域λ２の光の吸収量が小さくても良い。
【００８６】
本実施の形態の光源カバー２１の形状は、図１から図７に示されるものに限らない。光源カバー２１は光源３１を覆う透光部２２と、光源３１の両側に設けられた反射部２３とを備えれば良い。例えば、反射部２３は、光源支持部２５を保持していなくても良い。また、光源支持部２５の形状は、図７に示されるものに限らない。光源支持部２５は光源３１を支持できれば良い。また、光源支持部２５は反射部２３が保持できる形状であれば良い。
【００８７】
また、本実施の形態に係る照明装置６００は、例えば半導体素子工場において使用される。半導体素子工場では、レジストの感光を避けるため、５００ｎｍ以下の波長帯域の光を抑制した照明装置が求められる場合がある。このような場合に、本実施の形態の照明装置６００を適用できる。また、照明装置６００は低誘虫照明装置として用いられても良い。これに限らず、本実施の形態は種々の用途に応じた照明装置に適用できる。
【００８８】
これらの変形は以下の実施の形態に係る光源ユニット、照明装置および光源カバーについて適宜応用することができる。なお、以下の実施の形態に係る光源ユニット、照明装置および光源カバーについては実施の形態１との共通点が多いので、実施の形態１との相違点を中心に説明する。
【００８９】
実施の形態２．
図１２は、実施の形態２に係る照明装置６００ａの主要部を説明する断面図である。図１２において、電源ユニット４０等は省略されている。照明装置６００ａは光源ユニット２ａを備える。光源ユニット２ａは、光源カバー２１ａを備える。光源カバー２１ａは、透光部２２ａと反射部２３ａを備える。本実施の形態では、透光部２２ａと反射部２３ａの構造が実施の形態１と異なる。他の構造は実施の形態１と同様である。
【００９０】
透光部２２ａはカバー接続部２２２ａを有する。カバー接続部２２２ａは、実施の形態１の反射部２３と同様に遮光性を有する高反射部として形成される。カバー接続部２２２ａは可視光を反射させる。これに限らず、カバー接続部２２２ａは、第２波長帯域λ２の光を反射させれば良い。さらに、反射部２３ａは反射板２３３を有さない。
【００９１】
遮光性を有するカバー接続部２２２ａは、光源ユニット取付部１０２側に光を透過させない。そして、カバー接続部２２２ａは高反射性を有しているため、下方に光を反射させる。これにより、光源ユニット２ａの光の利用効率を向上できる。照明器具１に光源ユニット２ａが取り付けられた状態で、外観主部１０１の下端より下方に位置するカバー側部２２１は透光性を有しているので、実施の形態１と同様に、照明装置６００ａの光源ユニット２ａの側方および斜め上方の照度を得ることができる。さらに、カバー接続部２２２ａから光源ユニット取付部１０２側に向かって光が照射されることがないので反射板２３３を設けなくても良い。従って、光源カバー２１ａの材料コストを抑制できる。
【００９２】
実施の形態３．
図１３は、実施の形態３に係る光源ユニット２ｂの主要部を説明する断面図である。図１３において、電源ユニット４０等は省略されている。光源ユニット２ｂは、光源カバー２１ｂを有する。光源カバー２１ｂは、透光部２２３と、透光部２２３よりも外側に設けられ、透光部２２３を覆う外部カバー２２ｂをさらに備える。透光部２２３と外部カバー２２ｂは、光源３１に対して主部２６と反対側に設けられる。外部カバー２２ｂは、外郭部２０における第１外郭部である。透光部２２３と光源３１との間には、空間５５が形成される。透光部２２３と外部カバー２２ｂとの間には、空間５４ｂが形成される。
【００９３】
外部カバー２２ｂは、カバー主部２２０ｂとカバー側部２２１ｂとカバー接続部２２２ｂを有する。外部カバー２２ｂの形状は、実施の形態１の透光部２２と同様である。本実施の形態では、外部カバー２２ｂは透明である。透光部２２３は、支持部２３２から延び、光源３１を覆う。透光部２２３は、第１波長帯域λ１の放射強度を低下させる。
【００９４】
本実施の形態では、透光部２２３の体積は、実施の形態１の透光部２２の体積と比較して小さい。また、透光部２２３の表面積は、実施の形態１の透光部２２の表面積と比較して小さい。このため、実施の形態１と比較して、波長弁別機能を有する光色調整剤の量を低減できる。従って、材料コストを低減できる。特に、体積および表面積が大きいカバー主部２２０ｂ、カバー側部２２１ｂ、カバー接続部２２２ｂを、波長弁別機能を有さず光を透過させる透明な外部カバー２２ｂとして形成することで、材料コストを低減できる。
【００９５】
また、透光部２２３は外部カバー２２ｂの内側に設けられるため、光源ユニット２ｂの外郭部としての強度を必要としない。このため、透光部２２３に使用する材料および厚さの選択範囲を広げることができる。
【００９６】
また、光源カバー２１ｂでは、透光部２２３、外部カバー２２ｂおよび反射部２３により筒状の部分が形成される。これにより、光源カバー２１ｂの剛性を向上できる。同様に、光源ユニット２ｂの剛性を向上できる。従って、物流または施工の際に製品に加わる振動および衝撃に対する耐性を向上できる。
【００９７】
実施の形態４．
図１４は、実施の形態４に係る光源ユニット２ｃの主要部を説明する断面図である。図１４において、電源ユニット４０等は省略されている。光源ユニット２ｃは、光源カバー２１ｃを有する。光源カバー２１ｃは、透光部２２３ｃと、透光部２２３ｃよりも外側に設けられ、透光部２２３を覆う外部カバー２２ｂをさらに備える。外部カバー２２ｂは、外郭部２０における第１外郭部である。透光部２２３ｃと光源３１との間には、空間５５ｃが形成される。透光部２２３ｃと外部カバー２２ｂとの間には、空間５４ｃが形成される。
【００９８】
透光部２２３ｃは、支持部２３２の光源３１側の端部から延び、光源３１を覆う。透光部２２３ｃは、複数の支持部２３２の光源３１側の端部同士を繋ぐ。透光部２２３ｃは、第１波長帯域λ１の放射強度を低下させる。
【００９９】
本実施の形態では、透光部２２３ｃの体積は、実施の形態３の透光部２２３の体積と比較して小さい。また、透光部２２３ｃの表面積は、実施の形態３の透光部２２３の表面積と比較して小さい。このため、実施の形態３と比較して、波長弁別機能に必要な光色調整剤の量をさらに低減できる。従って、材料コストを低減できる。
【０１００】
各実施の形態の複数の部分を組み合わせて実施しても構わない。あるいは、各実施の形態のうち、１つの部分を実施しても構わない。その他、各実施の形態を、全体としてあるいは部分的に、どのように組み合わせて実施しても構わない。なお、上述した実施の形態は、本質的に好ましい例示であって、特許請求の範囲、実施の形態の適用物の範囲、及び、実施の形態の用途の範囲を制限することを意図するものではない。上述した実施の形態は、必要に応じて種々の変更が可能である。
【符号の説明】
【０１０１】
１  照明器具、１０  本体ユニット、１０１  外観主部、１０２  光源ユニット取付部、１０３  底面部、１０４  周面部、１０５  本体端部、１１  本体側連結具、１２  本体側電源線材、１３  本体側コネクタ、２，２ａ，２ｂ，２ｃ  光源ユニット、２０  外郭部、２１，２１ａ，２１ｂ，２１ｃ  光源カバー、２２，２２３，２２３ｃ  透光部、２２０，２２０ｂ  カバー主部、２２１，２２１Ｂ  カバー側部、２２２，２２２ａ，２２２ｂ  カバー接続部、２２ｂ  外部カバー、２３，２３ａ  反射部、２３０  対向部、２３１  係合部、２３２  支持部、２３３  反射板、２４  端部カバー、２４０  底部、２４１  周部、２５  光源支持部、２６  主部、２６０  第１面、２６１  第２面、２６２  側縁部、２６３  一端部、２６４  電線保持具装着部、２６５  電線挿通切欠き部、２６６  電線保持具装着孔、２６７  他端部、２６８  張出部、２７  突出部、２７５  端部、２７６  先端部、３０  発光部、３１  光源、３４  基板、３４０  実装面、３４１  非実装面、４０  電源ユニット、４０４  第１筐体、４１０  第２筐体、４２  光源側電源線材、４３  光源側コネクタ、４４  給電線材、４６  光源側連結具、４８  電線保持具、４９  電線留め具、５１  ネジ、５４，５４ｂ，５４ｃ，５５，５５ｃ  空間、６００，６００ａ  照明装置、９００  造営部
【図１】
2019109996.tif 000003
【図２】
2019109996.tif 000004
【図３】
2019109996.tif 000005
【図４】
2019109996.tif 000006
【図５】
2019109996.tif 000007
【図６】
2019109996.tif 000008
【図７】
2019109996.tif 000009
【図８】
2019109996.tif 000010
【図９】
2019109996.tif 000011
【図１０】
2019109996.tif 000012
【図１１】
2019109996.tif 000013
【図１２】
2019109996.tif 000014
【図１３】
2019109996.tif 000015
【図１４】
2019109996.tif 000016